(57)【特許請求の範囲】
【請求項１】
伝送路上に接続された機器との通信を行う機器通信手段と、前記機器通信手段から得られた通信情報より各機器の状態情報を抽出し、あるいは機器への制御情報を機器通信手段に送出する制御手段と、前記制御手段が抽出した機器個別情報を蓄積する記憶手段を有する設備監視装置において、
前記伝送路上に接続された機器の通信情報より抽出した情報が、前記記憶手段に蓄積された機器個別情報に存在しないとき、該機器を伝送路に新規に接続された機器として認識し、該新規機器からその機器が持つ各要素の現在値を有する機器個別情報を受信して、該機器個別情報を前記記憶手段に登録する登録手段と、
新たに登録された機器の機器個別情報の機種名を決定する機種管理手段とを備え、
前記記憶手段は、機種名と、その機種が持つ各要素の取り得る範囲の情報を有する機種識別情報とを複数組保持し、
前記機種管理手段は、前記機種識別情報と新たに登録された機器の機器個別情報とを比較して、該新規機器の各要素の現在値が、取り得る範囲内か否かにより、該新規機器の機種名を特定することを特徴とする設備監視装置。
【請求項２】
前記機種管理手段は、前記新規機器の全要素の現在値が、取り得る範囲内の場合に、このときの機種識別情報の機種名を前記新規機器の機種名とすることを特徴とする請求項１記載の設備監視装置。
【請求項３】
前記機種管理手段は、前記新規機器の各要素の現在値が、取り得る範囲内か否かを判定し、取り得る範囲内の要素の数が最も多い機種識別情報の機種名を前記新規機器の機種名とすることを特徴とする請求項１記載の設備監視装置。
【請求項４】
前記機器個別情報および前記機種識別情報は、各機器が持つ各要素の変数型をそれぞれ有し、
前記機種管理手段は、該新規機器が持つ各要素の変数型と、前記機種識別情報における各機種が持つ各要素の変数型とを比較することを特徴とする請求項１から請求項３のいずれか一項に記載の設備監視装置。
【請求項５】
前記機種識別情報は機種の画像情報を含み、新規に伝送路に接続された機器の機器個別情報の画像情報を表示する表示手段を備えたことを特徴とする請求項１から請求項４のいずれか一項に記載の設備監視装置。
【請求項６】
前記表示手段の画面上における機器個別情報の配置を決めるルールを複数保持する画面配置決定手段と、
該画面配置決定手段内のルールによって決められた画面配置情報を記憶する画面記憶手段と、
前記画面配置決定手段で使用するルールを決定する条件判定手段と、
前記表示手段の画面上でポインタを移動させ、場所や画像を指定する機能を有するポインティングデバイスと、を備え、
前記新規機器に関する機器個別情報を画面上に配置する時、前記条件判定手段が、既に保持する画面配置情報のルールとは異なるルールを決定するように構成したことを特徴とする請求項５記載の設備監視装置。
【発明の詳細な説明】
【０００１】
【発明の属する技術分野】
本発明は、伝送路上に接続されている機器の監視・制御を行う設備監視装置に関するものである。
【０００２】
【従来の技術】
家庭内において多数の機器が伝送路に接続されていたり、機器間の物理的な距離が離れている場合、一元的な管理ができなかった。
【０００３】
これを解決する方法として、図２１に例えば特開平１０−２２４８７５号公報に開示された機器構成図を示す。
図において、１は制御装置、２は前記制御装置１の表示装置、３はマウス等のポインティングデバイス、４は記憶装置、５はＡＶ機器Ａ、６はＡＶ機器Ｂ、７はＡＶ機器Ｃであり、それぞれの機器はそれぞれの機器固有の動作機能を有する。８は前記それぞれのＡＶ機器間と前記制御装置１を接続するディジタル伝送路である。
【０００４】
また、図２２は、前記表示装置２に表示される制御用の画面である。この画面は、前記制御装置１にディジタル伝送路８で接続されたＡＶ機器がアイコンを用いてツリー構造で表示される。
９はポインタで、前記ポインティングデバイス３の操作に対応して画面上を移動する。このポインタ９をＡＶアイコンに移動させ、ダブルクリックの様な所定の操作を行うと接続されている機器が現れる。さらに、例えば機器Ｂ６に対応するアイコンをダブルクリックすると機器Ｂ６の持つ動作機能が表示される。前記制御装置１は接続されている、それぞれのＡＶ機器の持つ機能を全て把握しており視覚的に分かりやすく表示することが可能である。
このように、接続機器の動作機能単位に対応したアイコンを表示装置２にグラフィカルに表示し、特定のポインティングデバイス３を使用したアイコン操作により接続機器の制御を行う方法がある。
【０００５】
【発明が解決しようとする課題】
しかしながら、上記従来の方法では、既に接続されている機器の操作などは可能であるが、新規に機器が伝送路に接続された場合、その新規機器の情報を登録することができず、結果としてその新規機器は検出することも制御することもできないという問題があった。
【０００６】
本発明は、上記のような課題を解消するためになされたもので、新規に機器が伝送路に接続されたとき、それを検出し該機器の機器個別情報を登録して制御を可能にする設備監視装置を得ることを目的とする。
【０００７】
【課題を解決するための手段】
本発明に係る請求項１記載の設備監視装置は、伝送路上に接続された機器との通信を行う機器通信手段と、前記機器通信手段から得られた通信情報より各機器の状態情報を抽出し、あるいは機器への制御情報を機器通信手段に送出する制御手段と、前記制御手段が抽出した機器個別情報を蓄積する記憶手段を有する設備監視装置において、前記伝送路上に接続された機器の通信情報より抽出した情報が、前記記憶手段に蓄積された機器個別情報に存在しないとき、該機器を伝送路に新規に接続された機器として認識し、該新規機器からその機器が持つ各要素の現在値を有する機器個別情報を受信して、該機器個別情報を前記記憶手段に登録する登録手段と、新たに登録された機器の機器個別情報の機種名を決定する機種管理手段とを備え、前記記憶手段は、機種名と、その機種が持つ各要素の取り得る範囲の情報を有する機種識別情報とを複数組保持し、前記機種管理手段は、前記機種識別情報と新たに登録された機器の機器個別情報とを比較して、該新規機器の各要素の現在値が、取り得る範囲内か否かにより、該新規機器の機種名を特定したものである。
【０００８】
また、請求項２記載の設備監視装置において、前記機種管理手段は、前記新規機器の全要素の現在値が、取り得る範囲内の場合に、このときの機種識別情報の機種名を前記新規機器の機種名としたものである。
【０００９】
また、請求項３記載の設備監視装置において、前記機種管理手段は、前記新規機器の各要素の現在値が、取り得る範囲内か否かを判定し、取り得る範囲内の要素の数が最も多い機種識別情報の機種名を前記新規機器の機種名としたものである。
【００１０】
また、請求項４記載の設備監視装置において、前記機器個別情報および前記機種識別情報は、各機器が持つ各要素の変数型をそれぞれ有し、前記機種管理手段は、該新規機器が持つ各要素の変数型と、前記機種識別情報における各機種が持つ各要素の変数型とを比較したものである。
また、請求項５記載の設備監視装置において、前記機種識別情報は機種の画像情報を含み、新規に伝送路に接続された機器の機器個別情報の画像情報を表示する表示手段を備えたものである。
また、請求項６記載の設備監視装置は、前記表示手段の画面上における機器個別情報の配置を決めるルールを複数保持する画面配置決定手段と、該画面配置決定手段内のルールによって決められた画面配置情報を記憶する画面記憶手段と、前記画面配置決定手段で使用するルールを決定する条件判定手段と、前記表示手段の画面上でポインタを移動させ、場所や画像を指定する機能を有するポインティングデバイスと、を備え、前記新規機器に関する機器個別情報を画面上に配置する時、前記条件判定手段が、既に保持する画面配置情報のルールとは異なるルールを決定するように構成したものである。
【００１１】
【発明の実施の形態】
実施の形態１．
図１は、この発明の実施の形態の一例を示す設備監視装置の構成ブロックを示す図である。
図において、１１は設備監視装置で、伝送路１２に接続された機器Ａ１３、機器Ｂ１４、機器Ｃ１５などと通信を行う機器通信手段１６と、前記機器Ａ１３、機器Ｂ１４、機器Ｃ１５との通信情報より、それぞれの機器の状態情報を抽出したり、あるいは、それぞれの機器への制御情報を前記機器通信手段１６に送出したりする制御手段１７と、前記制御手段１７が抽出したそれぞれの機器の状態情報を保持する機器個別データ１９を蓄積する記憶手段１８と、伝送路１２に新たに接続された機器の通信情報より抽出した情報が、前記記憶手段１８に蓄積された機器個別データ１９に存在しないとき新規の機器として認識し、該新規機器の機器個別情報を前記記憶手段１８の機器個別データ１９に登録する登録手段２０を有している。尚、前記機器Ａ１３、機器Ｂ１４、機器Ｃ１５は通信手段（図示せず）を備えているものである。
【００１２】
次に動作について説明する。
まず、前記機器Ａ１３と機器Ｂ１４だけが伝送路１２に接続されているとする。前記機器Ａ１３の機器個別ＩＤを００１、機器Ｂ１４の機器個別ＩＤを００２とすると、前記記憶手段１８の中の機器個別データ１９には、例えば図２のようなデータが入っている。この図２は、前記機器Ａ１３は要素名が電源、運転モード、設定温度である３つの要素を持ち、現在、それぞれの値が１、１、２５を取っており、一方、前記機器Ｂ１４は要素名が電源と照度である２つの要素を持ち、現在それぞれ１、７５という値を取っていることを表している。
【００１３】
この状態で機器Ｃ１５が新たに伝送路１２に接続され、電源が入れられたとすると、機器Ｃ１５は電源が入れられたという情報を前記設備監視装置１１に向けて送信する。この通信データは、前記設備監視装置１１の機器通信手段１６で受信され、前記制御手段１７へ送られる。図３は受信した通信データを表しており、機器通信手段１６が受信した情報３１は、例えば機器個別ＩＤ３２と機器状態変化情報３３を持つことを示している。前記制御手段１７は、この機器通信手段１６が受信した情報３１から機器Ｃ１５の機器個別ＩＤ３２：００３と機器状態変化情報３３：電源が１に変化という情報を抽出する。
ここで、機器の電源が入った状態を、その機器が持つ要素名「電源」の値が１という状態で表現することとする。
【００１４】
制御手段１７で抽出された情報は、前記登録手段２０へと送られる。登録手段２０では、まず前記制御手段１７で抽出された機器個別ＩＤ３２の値：００３が、前記記憶手段１８内の機器個別データ１９が持つ機器個別ＩＤに存在するかどうか検索する。前記機器Ｃ１５は新しく接続された機器なので、前記機器個別データ１９内には機器個別ＩＤ：００３は存在しない。新規機器Ｃ１５の機器個別ＩＤが存在しないことを前記登録手段２０が確認すると、図４のように、新規機器Ｃ１５の機器個別ＩＤ：００３を前記機器個別データ１９に登録する。また、機器個別ＩＤを登録する際、同時に機器状態変化情報３３も図４のように登録する。
【００１５】
前記登録手段２０は、新規登録された機器個別ＩＤ：００３を持つ前記機器Ｃ１５が所有する全ての要素を取得するため、前記制御手段１７に取得命令を出す。これを受け制御手段１７は、機器Ｃ１５の要素取得命令を機器通信手段１６に送出し、機器通信手段１６から伝送路１２を介して前記機器Ｃ１５に向け送信する。機器Ｃ１５は、その命令を受信したら、直ちに要素の現在値を前記設備監視装置１１へ向け送信する。すると、前記設備監視装置１１では、機器通信手段１６が受信した情報から、必要な情報を前記制御手段１７が抽出し、登録手段２０へ送出する。登録手段２０は、その情報を前記記憶手段１８内の機器個別データ１９に順次登録していく。その結果、機器個別データ１９は、図５のようになり、新規の機器Ｃ１５の個別データが登録されることになる。
【００１６】
続いて制御方法について述べる。例えば、設備監視装置１１から機器Ｃ１５の電源を０に設定する場合は、設備監視装置１１の制御手段１７より、機器Ｃ１５の電源を０にする制御情報を機器通信手段１６へ送出し、機器通信手段１６から伝送路１２を介して機器Ｃ１５に向けて「電源を０に変更」という情報を送信する。
【００１７】
図６はこの情報が載った通信データ４１を表しており、この通信データ４１には機器個別ＩＤ４２と機器状態変更要求４３を持つことを示している。この通信データ４１を受信した機器Ｃ１５は機器個別ＩＤ４２を調べ、自分と同じ機器個別ＩＤであった場合のみ機器状態変更要求４３を受け取り、要求されている状態「電源を０」へ移行する。もし、異なる機器個別ＩＤであれば、機器状態変更要求４３は無視される。このようにして、設備監視装置１１から機器を制御する。上記電源のほか、例えば運転モード、設定温度などについても、上記と同様にして設定変更を行って制御する。
【００１８】
以上のように、伝送路に新たに機器が接続された場合、該機器の通信データより抽出した情報が、記憶手段に蓄積された機器個別情報に存在しないとき新規の機器として認識し、そして、該新規機器の機器個別情報を記憶手段に新たに登録して制御を可能にするようにしたので、従来の装置において新たな機器を接続する場合、記憶装置などを作り直さなければならず大変な手間となるが、手間を掛けずに新規の機器を容易に接続可能とする使い勝手のよい設備監視装置が得られる。
【００１９】
実施の形態２．
図７は、本実施の形態２における設備監視装置の構成ブロックを示す図である。尚、図７において、実施の形態１と同一符号は同一または相当部分を示し、ここでの説明を省略する。
図において、１８は制御手段１７が抽出したそれぞれの機器の状態情報を保持する機器個別データ１９´と、機種名やその機種が持つ要素の情報をもつ機種データを保持する機種識別情報一覧２１を蓄積する記憶手段、２２は前記機種識別情報一覧２１の機種データと前記機器個別データ１９´とから、接続された機器の機種名を判定する機種管理手段である。
【００２０】
次に動作について説明する。
まず、前記機器Ａ１３と機器Ｂ１４だけが伝送路１２に接続されているとする。前記機器Ａ１３の機器個別ＩＤを００１、機器Ｂ１４の機器個別ＩＤを００２とすると、前記記憶手段１８の中の機器個別データ１９´には図８のようなデータが入っている。この図８は、機器Ａ１３は機種名がエアコンで、要素名が電源、運転モード、設定温度である３つの要素を持ち、それぞれ電源型、選択型、温度型の変数で、現在、それぞれの値が１、１、２５を取っており、一方、機器Ｂ１４は機種名が照明で、要素名が電源、照度である２つの要素を持ち、それぞれ電源型、百分率型の変数で、現在、それぞれの値が１、７５を取っていることを表している。
【００２１】
また、例えば設備監視装置１１が機種としてエアコンと照明の２つの機種データを持っているとすると、前記記憶手段１８内の機種識別情報一覧２１には図９に示すようなデータが入っている。図９は機種名としてエアコンと照明の２つがあり、エアコンは要素名が電源、運転モード、設定温度である３つの要素を持ち、それぞれ電源型、選択型、温度型の変数で、取り得る範囲として、それぞれ０か１、０か１か２、１８〜３０が定義され、一方、照明は要素名が電源、照度である２つの要素を持ち、それぞれ電源型、百分率型の変数で、取り得る範囲として、それぞれ０か１、０〜１００が定義されていることを表している。
【００２２】
この状態で機器Ｃ１５が新たに伝送路１２に接続され、電源が入れられたとすると、前記機器Ｃ１５は電源が入れられたという情報を前記設備監視装置１１に向けて送信する。この通信データは、前記設備監視装置１１の機器通信手段１６で受信され、前記制御手段１７へ送られる。受信した通信データは、図３に示したような機器個別ＩＤ３２と機器状態変化情報３３と、それに加え変数型の情報（図示せず）を持っている。前記制御手段１７は、このデータから機器Ｃ１５の機器個別ＩＤ３２：００３と、機器状態変化情報３３：電源が１に変化と、要素名が電源の変数型が電源型変数である情報を抽出する。
ここで、機器の電源が入った状態を、その機器が持つ要素名「電源」の値が１という状態で表現することとする。
【００２３】
前記制御手段１７で抽出された情報は、登録手段２０へと送られる。登録手段２０では、まず前記制御手段１７で抽出された機器個別ＩＤ３２の値：００３が、前記記憶手段１８内の機器個別データ１９´が持つ機器個別ＩＤに存在するかどうか検索する。前記機器Ｃ１５は新しく接続された機器なので、前記機器個別データ１９´内には機器個別ＩＤ：００３は存在しない。新規機器Ｃ１５の機器個別ＩＤが存在しないことを前記登録手段２０が確認すると、新規機器Ｃ１５の機器個別ＩＤ：００３を前記機器個別データ１９´に登録する。また、該機器個別ＩＤを登録する際、同時に機器状態変化情報３３と変数型の情報も登録する。
【００２４】
前記登録手段２０は、新規登録された機器個別ＩＤ：００３を持つ前記機器Ｃ１５が所有する全ての要素を取得するため、前記制御手段１７に取得命令を出す。これを受け制御手段１７は、機器Ｃ１５の要素取得命令を機器通信手段１６に送出し、機器通信手段１６から伝送路１２を介して前記機器Ｃ１５に向け送信する。機器Ｃ１５は、その命令を受信したら、直ちに要素の現在値を前記設備監視装置１１へ向け送信する。すると、前記設備監視装置１１では、機器通信手段１６が受信した情報から、必要な情報を前記制御手段１７が抽出し、登録手段２０へ送出する。登録手段２０は、その情報を前記記憶手段１８内の機器個別データ１９´に順次登録していく。
【００２５】
その結果、機器個別データ１９´内の機器Ｃ１５に対するデータは図１０のようになり、新規の機器Ｃ１５が仮登録されることになる。新規の機器Ｃ１５の情報が、前記記憶手段１８内の機器個別データ１９´に仮登録されると、機種管理手段２２は機種を特定するため、仮登録された図１０に示す機器Ｃ１５の機器個別データと、記憶手段１８内の機種識別情報一覧２１の機種データとを比較する。
【００２６】
ここで、比較方法について図１１を使って説明する。図１１には、記憶手段１８内の機種識別情報一覧２１から取り出したエアコンのデータと、新規の機器Ｃ１５の機器個別データが示されている。
まず、エアコンのデータにある要素名の電源が、新規の機器Ｃ１５の機器個別データに存在するか否か調べ、存在すれば次に、変数型が同一か否か調べる。同一ならば次に、エアコンのデータに示された変数範囲に機器個別データの値が収まっているか否か調べ、収まっているならば、一致した（○）とする。収まっていなければ、一致していない（×）とする。続いて、要素名の運転モード、設定温度についても上記と同様のことを行う。
【００２７】
また、図１２には、記憶手段１８内の機種識別情報一覧２１から取り出した照明のデータと、新規の機器Ｃ１５の機器個別データが示されている。上記エアコンの場合と同様に、照明の要素と機器Ｃ１５の機器個別データとを比較していく。このように、前記機種識別情報一覧２１に含まれるすべての機種データに対して、上記と同様の比較を行っていく。
【００２８】
その結果、全ての要素が一致している機種が存在すれば、新規の機器Ｃ１５の機種をその機種とする。図１１、１２の場合は、図１１に示すエアコンの全ての要素と一致しているので、新規の機器Ｃ１５の機種はエアコンと決定され、前記機種管理手段２２は、図１３のように新規の機器Ｃ１５の機器個別データ内で未定義だった機種名にエアコンを登録する。
【００２９】
次に、全ての要素が一致している機種が存在しない場合について述べる。例えば、新規の機器Ｃ１５が図１４のような機器個別データを持つとする。図１５には、機種識別情報一覧２１から取り出したエアコンのデータと、前記新規の機器Ｃ１５の機器個別データが示され、同様に図１６には、照明のデータと、前記新規の機器Ｃ１５の機器個別データが示され、それぞれについて、要素と機器Ｃ１５の機器個別データとの比較において、一致した（○）と、一致していない（×）の比較結果が示されている。
【００３０】
その結果、全ての要素が一致している機種は存在しない。この場合、一致している要素が多いものを新規の機器Ｃ１５の機種として決定する。ここでは、エアコンの方が照明よりも一致している要素（○）が多いので、新規の機器Ｃ１５はエアコンと決定され、前記機種管理手段２２は、図１７のように新規の機器Ｃ１５の機器個別データ内で未定義だった機種名にエアコンを登録する。
このように新規の機器が登録された後の制御方法については、上記実施の形態１と同様にして行われるので、ここでの説明を省略する。
【００３１】
以上のように、記憶手段内に、機種名やその機種が持つ要素の情報をもつ機種データを保持する機種識別情報一覧を設け、該機種識別情報一覧の機種データと機器個別データとから、接続された機器の機種名を判定する機種管理手段を設けたので、接続された機器の機種を容易に判別することが可能となり、機種判別が可能になることによって、例えばエアコンを全て冷房にするとか、あるいは、照明を全てＯＮにするといったグループ毎の制御ができるようになる。また、単に機器３が故障したという情報だけでなく、エアコン３が故障したというより詳細な情報を取得することができるので、機器の保守・管理が容易になる設備監視装置が得られる。
【００３２】
尚、上記実施の形態２においては、機種管理手段２２を記憶手段１８に接続しているが、登録手段２０あるいは制御手段１７に接続してもよい。
【００３３】
また、記憶手段１８内と、機器からの通信データ内に予め機種を判別する機種ＩＤのようなものを入れておき、それを機種名の決定に利用するようにしてもよい。
【００３４】
実施の形態３．
図１８は、本実施の形態３における設備監視装置の構成ブロックを示す図である。尚、図１８において、実施の形態１、２と同一符号は同一または相当部分を示し、ここでの説明を省略する。
１８は制御手段１７が抽出した機器の状態情報を保持する機器個別データ１９´と、機種名やその機種が持つ要素の情報及びその機種に対応する画像情報をもつ機種データを保持する機種識別情報一覧２１´を蓄積する記憶手段、２３は機種識別情報一覧２１´の機種データと機器個別データとの比較により、決定された機種に対応する機種の画像情報を表示する表示手段である。
【００３５】
例えば、設備監視装置１１が機種としてエアコンと照明の２つの機種データを持っているとすると、記憶手段１８内の機種識別情報一覧２１´には、例えば図１９に示すようなデータが入っている。図１９は機種名としてエアコンと照明の２つがあり、エアコンは要素名が電源、運転モード、設定温度である３つの要素を持ち、それぞれ電源型、選択型、温度型の変数で、取り得る範囲として、それぞれ０か１、０か１か２、１８〜３０が定義され、エアコンに対応する画像として画像情報５１を持つ。
【００３６】
一方、照明は要素名が電源、照度である２つの要素を持ち、それぞれ電源型、百分率型の変数で、取り得る範囲として、それぞれ０か１、０〜１００が定義され、照明に対応する画像として画像情報５２を持っていることを表している。
【００３７】
そして、上記実施の形態２と同様にして、前記記憶手段１８内の機種識別情報一覧２１´の機種データと新規機器の機器個別データとの比較により、新規機器の機種が決定されると、機種データに持っている機種に対応する画像情報が決定する。決定した画像情報は、図２０に示すように新規機器の機器個別データに登録される。そして、図２０に示す機器個別データに登録された画像情報は、制御手段１７によって機器個別ＩＤ情報などと共に抽出されて、表示手段２３へ送出され、表示手段２３により機器個別ＩＤ情報や機種の画像情報を出力する。
尚、表示においては、機器個別ＩＤ情報や機種の画像情報以外に、機器個別データに登録されているその他の要素データも制御手段１７によって抽出して、表示手段に送出し、例えば電源ＯＮ／ＯＦＦ、運転モード、設定温度などの状態情報も表示するようにしてもよい。
【００３８】
以上のように、記憶手段内に保持される機種識別情報一覧の機種名やその機種が持つ要素の情報をもつ機種データに機種の画像情報を付加し、機種データと新規機器の機器個別データとの比較により、決定された新規機器の機種に対応する画像情報を表示手段により視覚的に示すようにしたので、ユーザーに決定された新規機器の機種が正しいかどうかの判断をしてもらうことができるため誤りを軽減でき、機器の保守・管理を容易にする設備監視装置が得られる。
【００３９】
尚、上記実施の形態においては、画像データを機種識別情報一覧の機種データ内に入れているが、これに限られるものではなく、例えば表示手段に持つようにしてもよい。
【００４０】
実施の形態４．
図２３は本発明の実施の形態４に係る設備監視装置の構成を示すブロック図である。従来例もしくは実施の形態１〜３と同一または相当部分には同じ符号を付し、説明を省略する。
図において６３は、例えばマウスのように表示手段２３の画面上でポインタを移動させ、場所や画像を指定する機能を有するポインティングデバイスである。６４は、画面上の配置を決めるルールを保持する画面配置決定手段６５と、画面配置決定手段６５内のルールにより決められた画面を記憶する画面記憶手段６６と、画面配置決定手段で使用するルールを決定する条件判定手段６７とから構成される画面管理手段である。
【００４１】
次に動作について説明する。
記憶手段１８にはエアコン３台と照明２台が登録されているものとする。
制御手段１７は、利用者によって操作されたポインティングデバイス６３からポインタの位置情報や操作情報を取得し、これをトリガとして機器情報を抽出したり、表示手段に画像情報を送出したりする。
例えば、表示手段２３の画面上に、「画面変更ボタン」（図示せず）が表示されており、ポインティングデバイス６３によりポインタを移動させ、「画面変更ボタン」を指定したとする。制御手段１７は、この情報を「「画面変更ボタン」が押された」という状態変化情報として取り込み、これをトリガとして記憶手段１８の登録データを抽出し、このデータを画面管理手段６４へ送出する。同時に制御手段１７は画面管理手段６４へ状態変化情報を知らせる。
【００４２】
これらデータを受け取った画面管理手段６４は、まず状態変化情報を条件判定手段６７にかけ、どの配置ルールを用いればよいかを決定する。条件判定手段６７によって決定された配置ルールを用いて画面配置決定手段６５により画面の配置を決める。ここで決められた画面配置情報は、画面記憶手段６６によって記憶されると同時に、制御手段１７によって表示手段２３へと送られる。そして表示手段２３はこの情報を受け取り、そのまま表示する。
【００４３】
例えば、配置ルールとして「設置部屋毎に機器個別ＩＤ順に横に並べて行き、４台並んだら次の行へ。部屋間には改行を２つ入れる。表示情報は機器個別ＩＤと画像情報と設置場所とする。」となっているルール３が選択されたとすると、表示手段２３には図２４に示すような画面が出力される。図において７０はポインタである。
【００４４】
ここで新規機器である「機器個別ＩＤ：６の照明」が、登録手段２０によって記憶手段１８に登録された場合を想定する。登録手段２０は、この登録情報を制御手段１７へ通知する。通知された制御手段１７は記憶手段１８から新規機器が入っている機器のデータを取得し、画面管理手段６４へと送る。これと同時に制御手段１７は画面管理手段６４へ「新規機器参入」という状態変化情報を知らせる。そこで画面管理手段６４は、「新規機器参入」という状態変化情報を条件判定手段６７にかけ、適用される配置ルールを決定する。
【００４５】
また、「新規機器参入」時の配置ルールは、「新規機器参入」直前の配置ルールとは異なるものとし、特に新規機器を強調した画面配置情報を持つルールを適用するものとする。例えば「新規機器参入」前の配置ルールは「右に新しいスペースを作製し、その上部へ“新規機器”と書き、新規機器の表示情報をその下へ置く。表示情報は機器個別ＩＤと画像情報と機種名とし、新規機器以外はルール３に従う。」となっているルール４を選択する。このルールに基づく画面配置情報は制御手段１７等を介し、表示手段２３へ伝わり、ここに図２５に示すような画面が出力される。
利用者は、この新規機器が強調された画面により直ちに「新規機器参入」を知ることができ、これを迅速に活用することができる。
【００４６】
さらに、「新規機器参入」時の新規機器を強調した配置ルールは、図２６に示すように、ポップアップ画面のような形に画面を変化させるようにしても良い。このようにして「新規機器参入」を強調して表示すれば、利用者はさらに迅速かつ容易に新規機器を知り、これを活用することができる。
【００４７】
以上のように新規機器の探知により使用する画面配置情報を変えるようにしたので、新規機器を探知した場合に直ちに利用者にそれを知らせることができ、これを活用することができる。
また、図２４の画面から図２５や図２６のような画面に変更すれば、利用者も新規機器が一目瞭然となり、探索性の向上が見込まれる。
【００４８】
尚、新規機器の場合だけでなく、扱う機種が増えた場合や、削除機器の情報を得た場合などにも、画面を変化させても良い。このようにすれば、利用者に状態変更等の素早い告知や探索容易な画面の提供が可能となる。
【００４９】
【発明の効果】
以上のように本発明に係る請求項１の設備監視装置は、伝送路に新たに機器が接続された場合、該機器の通信データより抽出した情報が、記憶手段に蓄積された機器個別情報に存在しないとき新規の機器として認識し、そして、該新規機器の機器個別情報を記憶手段に新たに登録して制御を可能にするようにしたので、従来の装置において新たな機器を接続する場合、記憶装置などを作り直さなければならず大変な手間となるが、手間を掛けずに新規の機器を容易に接続可能とする使い勝手のよい設備監視装置が得られる。
【００５０】
また、請求項２の設備監視装置は、記憶手段が機種名やその機種が持つ要素の情報を有する機種データをもつ機種識別情報一覧を保持し、該機種識別情報一覧の機種データと機器個別データとから、接続された機器の機種名を判定する機種管理手段を設けたので、接続された機器の機種を容易に判別することが可能となり、例えばエアコンを全て冷房にするとか、あるいは、照明を全てＯＮにするといったグループ毎の制御ができる。また、単に機器３が故障したという情報だけでなく、エアコン３が故障したというより詳細な情報を取得することができるので、機器の保守・管理が容易になる設備監視装置が得られる。
【００５１】
また、請求項３の設備監視装置は、機種識別情報が機種の画像情報を含み、新規機器の機種に対応する画像情報を表示手段により視覚的に示すようにしたので、ユーザーに決定された新規機器の機種が正しいかどうかの判断をしてもらうことができるため誤りを軽減でき、機器の保守・管理を容易にする設備監視装置が得られる。
【００５２】
さらにまた、請求項４の設備監視装置は、新規機器としての画面配置情報を通常の場合と変えることを可能としたので、新規機器を探知した場合に直ちに利用者にそのことを知らせることができ、これを活用することができる。また、新規機器を強調するような画面表示に変更すれば、利用者も新規機器が一目瞭然となり、探索性の向上が見込まれる。
【図面の簡単な説明】
【図１】  この発明の実施の形態１における設備監視装置の構成ブロック図である。
【図２】  この発明の実施の形態１に係る機器個別データを表した図である。
【図３】  この発明の実施の形態１に係る機器通信データを表した図である。
【図４】  この発明の実施の形態１に係る機器個別データを表した図である。
【図５】  この発明の実施の形態１に係る機器個別データを表した図である。
【図６】  この発明の実施の形態１に係る機器制御通信データを表した図である。
【図７】  この発明の実施の形態２における設備監視装置の構成ブロック図である。
【図８】  この発明の実施の形態２に係る機器個別データを表した図である。
【図９】  この発明の実施の形態２に係る機種識別データを表した図である。
【図１０】  この発明の実施の形態２に係る機器個別データを表した図である。
【図１１】   この発明の実施の形態２に係る機種識別データと機器個別データとの比較を表した図である。
【図１２】   この発明の実施の形態２に係る機種識別データと機器個別データとの比較を表した図である。
【図１３】  この発明の実施の形態２に係る機器個別データを表した図である。
【図１４】  この発明の実施の形態２に係る機器個別データを表した図である。
【図１５】   この発明の実施の形態２に係る機種識別データと機器個別データとの比較を表した図である。
【図１６】   この発明の実施の形態２に係る機種識別データと機器個別データとの比較を表した図である。
【図１７】  この発明の実施の形態２に係る機器個別データを表した図である。
【図１８】  この発明の実施の形態３における設備監視装置の構成ブロック図である。
【図１９】  この発明の実施の形態３に係る機種識別データを表した図である。
【図２０】  この発明の実施の形態３に係る機器個別データを表した図である。
【図２１】  従来の装置の機器構成図である。
【図２２】  制御用表示画面を表した図である。
【図２３】  この発明の実施の形態４における設備監視装置の構成ブロック図である。
【図２４】  この発明の実施の形態４に係る表示画面を表した図である。
【図２５】  この発明の実施の形態４に係る表示画面を表した図である。
【図２６】  この発明の実施の形態４に係る表示画面を表した図である。
【符号の説明】
１１  設備監視装置、  １２  伝送路、  １３  機器Ａ、  １４  機器Ｂ、  １５  機器Ｃ、  １６  機器通信手段、  １７  制御手段、  １８  記憶手段、  １９  機器個別データ、  ２０  登録手段、  ２１  機種識別情報一覧、  ２２機種管理手段、  ２３  表示手段、  ３１  機器情報抽出データ、  ４１  機器制御通信データ、  ５１、５２  画像情報、  ６３  ポインティングデバイス、  ６４  画面管理手段、  ６５  画面配置決定手段、  ６６  画面記憶手段、６７  条件判定手段、  ７０  ポインタ
【図１】
0003800097.tif 000002
【図２】
0003800097.tif 000003
【図３】
0003800097.tif 000004
【図４】
0003800097.tif 000005
【図５】
0003800097.tif 000006
【図６】
0003800097.tif 000007
【図７】
0003800097.tif 000008
【図８】
0003800097.tif 000009
【図９】
0003800097.tif 000010
【図１０】
0003800097.tif 000011
【図１１】
0003800097.tif 000012
【図１２】
0003800097.tif 000013
【図１３】
0003800097.tif 000014
【図１４】
0003800097.tif 000015
【図１５】
0003800097.tif 000016
【図１６】
0003800097.tif 000017
【図１７】
0003800097.tif 000018
【図１８】
0003800097.tif 000019
【図１９】
0003800097.tif 000020
【図２０】
0003800097.tif 000021
【図２１】
0003800097.tif 000022
【図２２】
0003800097.tif 000023
【図２３】
0003800097.tif 000024
【図２４】
0003800097.tif 000025
【図２５】
0003800097.tif 000026
【図２６】
0003800097.tif 000027